(57)【要約】【課題】空気清浄機能を空気調和機に付加するため高圧電源を使用し、出力用高圧リード線が中継コネクタで接続されている等高圧のリークポイントが存在する場合、その高圧リークポイントの位置が金属ケースに近接したり、誘電率の高い材料でできた構造物を介して金属ケースに近接している場合、高圧のリーク電流により金属ケースが帯電し、さらに金属ケースがプリント基板の導電パターンに近接している場合、金属ケースからの放電現象が発生し、そのｄｖ／ｄｔによりプリント基板上の回路や部品が誤動作に至る場合がある。【解決手段】金属ケース３の一部を鋭角に切り立たせ電荷集中しやすい形状とするとともに、プリント基板１上の銅箔により構成した放電用パターン８に接触させる構造とし、前記放電用パターンは回路の制御グランドパターン７と一定値の抵抗９で接続し、且つ前記グランドパターンは電源回路の出力元のグランドへ直結させる構成とする。【選択図】図１
2009103391.tif 000002
【特許請求の範囲】
【請求項１】
金属によるケースと樹脂ケースによりプリント基板を挟み込んで収納する構成とした電子制御装置において、前記金属ケースの一部を鋭角に切り立たせ電荷集中しやすい形状とするとともに、前記プリント基板上の銅箔により構成した放電用パターンに接触させ、且つパターンの接触部分のレジストを削除して銅箔を露出させる構造とし、前記放電用パターンは回路のグランドパターンと一定値の抵抗で接続し、且つ前記グランドパターンは電源回路の出力元のグランドへ直結させることを特徴とした空気調和機。
【発明の詳細な説明】
【技術分野】
【０００１】
本発明は、空気清浄機能用の高圧電源装置を有する空気調和機に関するものである。
【背景技術】
【０００２】
従来の空気調和機において電装品の発火発煙等の不安全が生じた場合、延焼を防止するためにプリント基板の一次側回路部分をケース状の金属で囲う構造としている。
【０００３】
また、空気調和機に空気清浄機能を付加させるため高圧電源装置を設け、高圧電源装置の出力を電極に接続することで電極間に流れる放電電流によりマイナスイオンを発生させる構成としていた。
【０００４】
図２は部品発火等から延焼を防止する空気調和機の金属ケース形状電子制御装置の構造図である。
【０００５】
電子部品が実装されたプリント基板１のはんだ面を難燃樹脂ケース２、部品面を金属のケース３により挟み込む構成となっており、部品が発火した場合でも金属ケースにより類焼を防止するとともに、プリント基板をケースで挟み込む構造とすることにより窒息消化をさせるものである。
【０００６】
ここで空気清浄機用機能を空気調和機に付加するには高圧電源１０が必要になる。高圧電源４から高圧用リード線５により放電電極６に接続される。放電電極により放出されたマイナスイオンにより空気中に浮遊するほこりが帯電し空気調和機による循環空気にのり空気調和機のエアーフィルターに吸着することにより室内空気を清浄にする仕組みである。
【０００７】
このとき高圧リード線が中継コネクタ１１で接続されている等高圧のリークポイントが存在する場合その高圧リークポイントの位置が金属ケース３に近接している場合や、誘電率の高い材料でできた構造物を介して金属ケースに近接している場合、高圧のリーク電流により金属ケース３は帯電する。さらに金属ケース３がプリント基板１の導電パターン７に近接している場合、金属ケース３の帯電量が金属ケース３と導電パターン７の距離で決定される絶縁破壊電圧に達すると放電現象が発生する。放電現象が発生するとそのｄｖ／ｄｔによりプリント基板上の回路や部品が誤動作に至る場合がある。
【特許文献１】特開２００６−１２４９５号公報
【特許文献２】特開２００５−５１４３３号公報
【発明の開示】
【発明が解決しようとする課題】
【０００８】
特許文献１記載の構成は、金属製の筐体と放電用パターンをネジにより電気的に接続し、放電用パターンをグランドパターンとＲＣで接続することで筐体に帯電した静電気による電子部品の破壊を防止する電子機器等の静電気放電構造が記載されている。
【０００９】
また、特許文献２記載の構成ではカメラユニットの構成であり、筐体から延びた爪形状の導体を内部回路の静電用グランドと接触させる構造により筐体に印加された静電気を効果的に除去することが記載されている。
【００１０】
前記した従来の技術による電子機器の静電気放電構造では、筐体と回路基板をネジにより機械的に固定するとともに放電用パターンと電気的に接続する構造となっており、筐体
と導電性を維持するために機械的固定を行なうという作業が必要であった。
【００１１】
またカメラユニットの構成では、筐体の一部を放電パターンと接触させておく構造となっており、構造や組み込みばらつきによっては放電パターンと十分な接触構造が保持できない可能性がある。
【００１２】
本発明は、上記従来の課題を解決するもので、簡易な構造で確実に高圧放電によるｄｖ／ｄｔを緩和することで回路の誤動作や部品破壊を防止することを目的とする。
【課題を解決するための手段】
【００１３】
上記課題を解決するため、本発明の空気調和機は、金属によるケースと樹脂ケースによりプリント基板を挟み込んで収納する構成とした電子制御装置において、前記金属ケースの一部を鋭角に切り立たせ電荷集中しやすい形状とするとともに、前記プリント基板上の銅箔により構成した放電用パターンに接触させ且つパターンの接触部分のレジストを削除して銅箔を露出させる構造とし、前記放電用パターンは回路の制御グランドパターンと一定値の抵抗で接続し、且つ前記グランドパターンは電源回路の出力元のグランドへ直結させる構成としたものである。
【発明の効果】
【００１４】
本発明の空気調和機の電子制御装置は、高圧電源の影響により金属ケースが帯電した場合でも、固定作業を必要としない簡易な構造でありながら特定の位置より積極的に安定したＧＮＤパターンへ抵抗を通じて確実に接続し安定的に放電させることにより、高圧放電によるｄｖ／ｄｔを緩和することで回路の誤動作や部品破壊を防止することができる。
【発明を実施するための最良の形態】
【００１５】
本発明は、空気清浄機能を付加させるため高圧電源装置を設け、高圧電源装置の出力を電極に接続することで電極間に低リーク電流を流させマイナスイオンを発生させる構成とし、電装品の発火発煙等の不安全が生じた場合、延焼を防止するためにプリント基板の一次側回路部分をケース状の金属で囲う構造としている空気調和機において、金属によるケースと樹脂ケースによりプリント基板を挟み込んで収納する構成とした電子制御装置で、前記金属ケースの一部を鋭角に切り立たせ電荷集中しやすい形状とするとともに、前記プリント基板上の銅箔により構成した放電用パターンに接触させ且つパターンの接触部分のレジストを削除して銅箔を露出させる構造とし、前記放電用パターンは回路の制御グランドパターンと一定値の抵抗で接続し、且つ前記グランドパターンは電源回路の出力元のグランドへ直結させる構成とすることにより、金属ケースが帯電した場合でも積極的に安定したＧＮＤパターンへ放電させることにより、高圧放電によるｄｖ／ｄｔによる回路の誤動作や部品破壊を防止することができる。
【００１６】
（実施の形態１）
図１は本発明の実施の形態１における誤動作防止の構造図である。金属によるケースと樹脂ケースによりプリント基板を挟み込んで収納する簡易な構造でありながら、本実施の形態ではプリント基板１の部品面から挟み込む金属ケース２の一部を切り欠いてエッジ部とし、プリント基板１上に配線した放電専用のパターン８に接触する構造としている。
【００１７】
また、放電専用パターン８は回路の電源出力に直結された専用ＧＮＤパターン１２に抵抗９で接続する構成としている。このことにより構造が簡易なため機械的な固定といった作業を必要とせず、金属ケース３が帯電した場合において、エッジに電荷集中するため放電箇所が特定される。従って放電箇所を制御回路から一定距離離すことにより放電ｄｖ／ｄｔの影響が、誤動作しやすい制御回路から意図的に離すことができる。
【００１８】
また、通常パターンを覆っているレジストのうち、金属ケースのエッジと接触する部分を削除して銅箔を露出することでより放電の集中が起こりやすい。
【００１９】
また、放電専用パターン８がＧＮＤと抵抗９で接続されていることにより放電時のｄｖ／ｄｔは緩和され、さらに放電用に接続されたＧＮＤは回路電源出力に直結されることで、制御回路が放電ノイズにより揺さぶられることを最小にすることができ、誤動作や部品破壊を防止することができる。
【産業上の利用可能性】
【００２０】
本発明にかかる空気調和機の電子制御装置は、高圧電源を使用し、帯電の可能性のある全ての機器に適用できる。
【図面の簡単な説明】
【００２１】
【図１】本発明の実施の形態における空気調和機の電子制御装置の構成図
【図２】従来技術における空気調和機の電子制御装置の構成図
【符号の説明】
【００２２】
１  プリント基板
２  難燃樹脂ケース
３  金属ケース
４  高圧電源
５  高圧用リード線
６  放電電極
７  導電パターン
８  放電専用パターン
９  抵抗
１０  高圧電源
１１  中継部
１２  ＧＮＤパターン
【図１】
2009103391.tif 000003
【図２】
2009103391.tif 000004